(57)【特許請求の範囲】
【請求項１】
少なくとも一つの角部が洗い場に向かって凸出するように設置された浴槽を備える浴室に対し、前記洗い場に設置される入浴補助具であって、
短冊状の簀子板が所定の間隙をあけて一平面上に複数並設されてなる簀子床面、及び前記各簀子板の底面に架け渡して設けられ前記各簀子板を連結する複数の横桟を具備し、前記簀子床面が、前記浴槽の凸出した角部に合致するための凹折点及び該凹折点を挟み直角接続する２辺からなる凹折縁辺を有する形状に形成された簀子と、
前記凹折点の近傍の前記凹折縁辺に沿って、前記簀子床面上に固定設置された入浴補助座具と、を備え、
前記入浴補助座具は、
くの字凹状に切れ込んだ嵌合部を有する切込板状に形成された天板と、
前記天板の前記嵌合部の内側方向に向面する内向側面を有し、上端が前記天板の底面に連結され、下端が前記簀子床面に固着され、前記天板を水平に支持する脚部と、
前記脚部の前記内向側面に設けられた、前記脚部を浴槽に吸着固定するための吸着部材と、を備え、
前記入浴補助座具は、平面視において、前記天板の前記嵌合部の縁辺が、前記簀子床面の前記凹折縁辺に対し位置及び向きを合わせて固着されていることを特徴とする入浴補助具。
【請求項２】
前記簀子は、平面視において複数の部分に分割されており、分割された前記簀子の各部分のうち、前記凹折縁辺を含む部分を固定部、それ以外の部分を回動部としたとき、
前記固定部に対し、前記各回動部が、前記固定部又は他の前記回動部にヒンジにより回動自在に結合されていることを特徴とする請求項１記載の入浴補助具。
【請求項３】
前記簀子は、平面視においてＬ字型平板状に形成されており、前記簀子床面の縁辺のうち、凹折接続した２つの縁辺を前記凹折縁辺、前記凹折縁辺に対向する凸折接続した２つの縁辺を凸折縁辺、前記簀子のＬ字状の中心線に対し前記凹折縁辺の側を内側、前記凸折縁辺の側を外側としたとき、
前記簀子は、平面視において、一方の前記凹折縁辺とそれに対向する前記凸折縁辺との中間にあり且つ該両縁辺に平行な直線である第１分割線、及び他方の前記凹折縁辺とそれに対向する前記凸折縁辺との中間にあり且つ該両縁辺に平行な直線である第２分割線により、４つの部分に分割されており、
前記簀子の４つの部分のうち、前記第１分割線の内側で且つ前記第２分割線の内側の部分を前記固定部、前記第１分割線の外側で且つ前記第２分割線の内側の部分を第１の前記回動部、前記第２分割線の外側で且つ前記第１分割線の内側の部分を第２の前記回動部、前記第１分割線の外側で且つ前記第２分割線の外側の部分を第３の前記回動部とすると、
第１及び第２の前記回動部は、前記固定部に対してヒンジにより回動自在に結合されており、
第３の前記回動部は、前記第１の前記回動部に対してヒンジにより回動自在に結合されていることを特徴とする請求項２記載の入浴補助具。
【請求項４】
洗い場と、
少なくとも一つの角部が前記洗い場に向かって凸出するように設置された浴槽と、を備えた浴室の浴室構造であって、
前記簀子の前記簀子床面の前記凹折縁辺及び前記入浴補助座具の前記天板の前記嵌合部が、前記浴槽の凸出した角部に嵌合させた状態で、前記吸着部材により前記入浴補助座具が前記浴槽の外側面に吸着固定され、且つ前記簀子が前記洗い場の床面上に隙間なく敷設された請求項１乃至３の何れか一記載の入浴補助具を備え、
前記入浴補助座具の前記天板の上面が、前記浴槽の槽縁の上面と面一とされた浴室構造。
【請求項５】
前記簀子は、浴室の出入り口側に面する端部が、浴室の出入り口の框の高さと、前記簀子の浴室の出入り口側に面する端の高さとが等しくなるように、スロープ状に曲折されていることを特徴とする請求項４記載の浴室構造。
【請求項６】
前記洗い場の床面と前記入浴補助具との間に、高さ調節自在な調高フレームを備えたことを特徴とする請求項４又は５記載の浴室構造。
【請求項７】
前記洗い場の床面には排水口が設けられており、
前記簀子は、前記排水口の上部に、開閉自在な開閉蓋を備えていることを特徴とする請求項４乃至６の何れか一記載の浴室構造。
【発明の詳細な説明】
【技術分野】
【０００１】
本発明は、膝を十分に曲げることのできない障害を持つ身体障害者が、単独で入浴するのを補助するために使用する入浴補助具及びそれを用いた浴室構造に関する。
【背景技術】
【０００２】
膝を十分に曲げることができない障害を持つ身体障害者が単独で入浴する場合、身体障害者は一旦浴槽の槽縁上面に腰掛けて、尻を軸にして回転しながら、足を曲げないようにして槽縁上を乗り越えて浴槽内に体を移動させる必要がある。そのため、浴槽の槽縁に腰掛けるためのスペースが必要とされる。そのために使用する入浴補助座具として、本発明者は特許文献１記載の入浴補助座具を考案している。
【０００３】
図１３は、特許文献１記載の入浴補助座具とその使用方法を表す図である。入浴補助座具１０１は、くの字型の切欠状の嵌合部が形成され、嵌合部以外の周縁辺が弧状に形成された平板状の天板１０２と、天板を水平に支持する複数の脚部１０３と、脚部１０３と浴槽１００の外面とを吸着結合する吸着部材（図示せず）とを備えている。
【０００４】
使用者Ｐが入浴する場合、
（１）使用者Ｐは、図１３（ａ）のように足を緩く伸ばした状態で、入浴補助座具１０１の天板１０２上に腰掛ける。
（２）次に、この状態で、使用者Ｐは、尻を軸として天板１０２上を回転し、足を緩く伸ばした状態で、浴槽１００の槽縁上を踰越させる。そして、図１３（ｂ）に示すように、天板１０２上に座った状態で浴槽１００内に足を入れる。
（３）次に、使用者Ｐは、浴槽１００の角部の左右の上縁上面を両手で持ち、両腕で体を支えながら尻を浴槽１００内へずらせ、図１３（ｃ）のように、浴槽１００内に設置された内側補助座部１１０に腰掛ける。
【０００５】
このようにして、使用者Ｐは、足を緩く伸ばしたままの状態で、独力で浴槽１００内に入ることが可能となる。使用者Ｐが浴槽１００から出る場合は、上記（１）〜（３）の手順を逆に行うことによって、独力で容易に浴槽１００から出ることが可能である。
【０００６】
上記特許文献１の入浴補助座具１０１を用いることによって、身体障害者が単独で入浴することが容易となり、介助の労力が大きく低減されることになる。
【先行技術文献】
【特許文献】
【０００７】
【特許文献１】特許第５０７４６２９号明細書
【特許文献２】特開２００１−５９３４９号公報
【特許文献３】特開平８−８０２７１号公報
【特許文献４】実開昭５８−２９３８９号公報
【特許文献５】実用新案登録第３１５１６５０号明細書
【特許文献６】実開昭５４−１３４３４号公報
【発明の概要】
【発明が解決しようとする課題】
【０００８】
ところで、上記入浴補助座具１０１では、脚部１０３を浴槽１００に十分に強く吸着させておくことが極めて重要である。なぜならば、使用中に吸着部材が剥がれ入浴補助座具１０１が浴槽１００から離れると、使用者Ｐの体勢が不安定となり、転倒する危険があるからである。しかしながら、一般に浴室内は浴槽や洗い場が水や水蒸気により濡れており滑りやすい。従って、使用中に吸着部材が剥がれて入浴補助座具１０１がズレ動く可能性を排除することができず、それをできる限り防ぐため、吸着部材は、できるだけ吸着面積が大きく吸着力の強いものを使用する必要があり、製造コストが高くなるという課題がある。
【０００９】
また、浴槽１００の槽縁の高さについては統一されていないため、様々な高さが想定される。槽縁の高さが高いと、使用者Ｐが、槽縁上で足を踰越させる場合に、足を大きく持ち上げる必要があり、体勢が不安定となりやすいという問題がある。
【００１０】
一般に、浴槽には、浴室に浴槽を埋め込んだ埋め込み型のものと、浴室内に浴槽を据え置いた据え置き型のものとがある。埋め込み型のものは、浴槽の床に埋め込まれているため、槽縁の高さは３００ｍｍ程度が一般的であり比較的低いが、集合住宅などで用いられている据え置き型の浴槽は、洗い場床面から槽縁までの高さは６００ｍｍ程度が一般的でありかなり高い。従って、特許文献１の入浴補助座具１０１では、洗い場床面から天板までの高さが高く、使用者が使用中に体勢が不安定となりやすい。また、入浴補助座具１０１の高さが高いと、使用者が入浴補助座具１０１の天板上に座るのが難しくなり、使い勝手も悪くなる。
【００１１】
そこで、本発明は、入浴補助座具と浴槽の固定を確実にし、安価な吸着部材を用いて安全に構成することが可能な入浴補助具及び浴室構造を提供することにある。また、本発明の他の目的は、使用者が入浴する際に、槽縁上で足を踰越させるときに足を持ち上げる幅を小さくし安全性をより高めるとともに、使い勝手もよい入浴補助具及び浴室構造を提供することにある。
【課題を解決するための手段】
【００１２】
本発明に係る入浴補助具の第１の構成は、少なくとも一つの角部が洗い場に向かって凸出するように設置された浴槽を備える浴室に対し、前記洗い場に設置される入浴補助具であって、
短冊状の簀子板が所定の間隙をあけて一平面上に複数並設されてなる簀子床面、及び前記各簀子板の底面に架け渡して設けられ前記各簀子板を連結する複数の横桟を具備し、前記簀子床面が、前記浴槽の凸出した角部に合致するための凹折点及び該凹折点を挟み直角接続する２辺からなる凹折縁辺を有する形状に形成された簀子と、
前記凹折点の近傍の前記凹折縁辺に沿って、前記簀子床面上に固定設置された入浴補助座具と、を備え、
前記入浴補助座具は、
くの字凹状に切れ込んだ嵌合部を有する切込板状に形成された天板と、
前記天板の前記嵌合部の内側方向に向面する内向側面を有し、上端が前記天板の底面に連結され、下端が前記簀子床面に固着され、前記天板を水平に支持する脚部と、
前記脚部の前記内向側面に設けられた、前記脚部を浴槽に吸着固定するための吸着部材と、を備え、
前記入浴補助座具は、平面視において、前記天板の前記嵌合部の縁辺が、前記簀子床面の前記凹折縁辺に対し位置及び向きを合わせて固着されていることを特徴とする。
【００１３】
この構成によれば、入浴補助具を浴室に設置する場合、簀子の凹折縁辺を浴槽の凸出した角部に合致させるとともに、入浴補助座具の天板の嵌合部を浴槽の凸出した角部外側面に嵌合させ、吸着部材によって脚部を浴槽の外側面に吸着固定する。このとき、入浴補助座具の天板の上面が浴槽の槽縁の上面と面一となるように、脚部の高さ及び簀子床面の高さを調節する。入浴補助座具の脚部は、吸着部材で吸着固定されると同時に、簀子に固着されているため、浴室内が濡れていたとしても、入浴補助座具がズレ動く心配はなくなる。従って、従来よりも安全性を高めることができる。また、入浴補助座具の横方向のズレは、脚部を簀子に固着することで防止されるため、畢竟、使用時に吸着部材に加わる力は小さくなる。従って、吸着部材に対し高い吸着力及び大きな吸着面積は要求されず、従来よりも安価な一般の吸着部材を用いて構成することができる。
【００１４】
また、入浴補助座具の天板の高さ調節は、入浴補助座具の脚部と簀子床面の高さの双方を用いて行うことが可能である。従って、使用者が入浴する際に、槽縁上で足を踰越させるときに足を持ち上げる幅があまり大きくなりすぎない程度に、入浴補助座具の脚部の高さを適度な高さとし、簀子床面の高さによって入浴補助座具の天板を浴槽の槽縁の上面の高さに調節することで、足を踰越させる際に使用者の体勢が不安定となりやすいという問題を解決することができる。
【００１５】
また、据え置き型の浴槽のように洗い場床面から槽縁までの高さが高い浴槽であっても、簀子床面から天板までの高さを低くできるため、使用者は入浴補助座具の天板に腰掛けやすく、使用時の安全性も高い。
【００１６】
ここで、入浴補助座具の脚部と簀子床面とを固着する手段については特に限定しない（ネジ止め、接着、釘打ちなどの手段を採り得る）が、清掃時の利便性を考慮して、入浴補助座具の脱着が容易な固着手段、例えば、ほぞ継ぎのような手段を採用するのが好ましい。また、簀子が洗い場床面をズレ動かないようにするのを確実にするために、簀子の底面（横桟の底面）に吸着部材を設けて、この吸着部材によって簀子を洗い場床面に固定するようにすることともできる。
【００１７】
本発明に係る入浴補助具の第２の構成は、前記第１の構成に於いて、前記簀子は、平面視において複数の部分に分割されており、分割された前記簀子の各部分のうち、前記凹折縁辺を含む部分を固定部、それ以外の部分を回動部としたとき、
前記固定部に対し、前記各回動部が、前記固定部又は他の前記回動部にヒンジにより回動自在に結合されていることを特徴とする。
【００１８】
この構成によれば、簀子の回動部を上方に回動させることにより、簀子床面を開扉することができる。従って、浴室を清掃する際に、簀子全体を除去せずとも、簀子床面を開扉して浴室床面を清掃することができ、浴室の清掃作業が容易となる。
【００１９】
本発明に係る入浴補助具の第３の構成は、前記第２の構成に於いて、前記簀子は、平面視においてＬ字型平板状に形成されており、前記簀子床面の縁辺のうち、凹折接続した２つの縁辺を前記凹折縁辺、前記凹折縁辺に対向する凸折接続した２つの縁辺を凸折縁辺、前記簀子のＬ字状の中心線に対し前記凹折縁辺の側を内側、前記凸折縁辺の側を外側としたとき、
前記簀子は、平面視において、一方の前記凹折縁辺とそれに対向する前記凸折縁辺との中間にあり且つ該両縁辺に平行な直線である第１分割線、及び他方の前記凹折縁辺とそれに対向する前記凸折縁辺との中間にあり且つ該両縁辺に平行な直線である第２分割線により、４つの部分に分割されており、
前記簀子の４つの部分のうち、前記第１分割線の内側で且つ前記第２分割線の内側の部分を前記固定部、前記第１分割線の外側で且つ前記第２分割線の内側の部分を第１の前記回動部、前記第２分割線の外側で且つ前記第１分割線の内側の部分を第２の前記回動部、前記第１分割線の外側で且つ前記第２分割線の外側の部分を第３の前記回動部とすると、
第１及び第２の前記回動部は、前記固定部に対してヒンジにより回動自在に結合されており、
第３の前記回動部は、前記第１の前記回動部に対してヒンジにより回動自在に結合されていることを特徴とする。
【００２０】
この構成によれば、入浴補助具を浴室に設置する場合には、第２及び第３の回動部が浴室の出入り口方向に向面するように設置する。上述したように、簀子床面の高さは、簀子床面の高さが適度となり且つ入浴補助座具の天板上面が浴槽の槽縁の上面と面一となるように調整されるが、その場合、浴室出入り口の框と簀子床面との間に段差が生じる場合がある。その場合、固定部及び第１の回動部に対して、第２及び第３の回動部を折曲させ、第２及び第３の回動部の外縁辺底部の横桟と床面との間に高さ調節用の部材を噛まして、第２及び第３の回動部の外縁辺の高さが浴室出入り口の框の高さとなるように調節し、段差をなくすことができる。これにより、足に障害を持つ使用者が車いすでスムーズに浴室に侵入することが可能となる。
【００２１】
本発明に係る浴室構造の第１の構成は、洗い場と、少なくとも一つの角部が前記洗い場に向かって凸出するように設置された浴槽と、を備えた浴室の浴室構造であって、
前記簀子の前記簀子床面の前記凹折縁辺及び前記入浴補助座具の前記天板の前記嵌合部が、前記浴槽の凸出した角部に嵌合させた状態で、前記吸着部材により前記入浴補助座具が前記浴槽の外側面に吸着固定され、且つ前記簀子が前記洗い場の床面上に隙間なく敷設された請求項１乃至３の何れか一記載の入浴補助具を備え、
前記入浴補助座具の前記天板の上面が、前記浴槽の槽縁の上面と面一とされたことを特徴とする。
【００２２】
この構成によれば、入浴補助座具の脚部は、吸着部材で吸着固定されると同時に、簀子に固着されているため、浴室内が濡れていたとしても、入浴補助座具がズレ動く心配はなくなる。従って、従来よりも安全性を高めることができる。また、簀子を洗い場の床面上に隙間なく敷設することで、簀子自体が洗い場床面をズレ動くことを完全に防止することができる。
【００２３】
また、入浴補助座具の天板の高さ調節を、入浴補助座具の脚部と簀子床面の高さの双方を用いて行うことが可能である。従って、使用者が入浴する際に、槽縁上で足を踰越させるときに足を持ち上げる幅があまり大きくなりすぎない程度に、入浴補助座具の脚部の高さを適度な高さとし、簀子床面の高さによって入浴補助座具の天板を浴槽の槽縁の上面の高さに調節することで、足を踰越させる際に使用者の体勢が不安定となりやすいという問題を解決することができる。
【００２４】
本発明に係る浴室構造の第２の構成は、前記第１の構成に於いて、前記簀子は、浴室の出入り口側に面する端部が、浴室の出入り口の框の高さと、前記簀子の浴室の出入り口側に面する端の高さとが等しくなるように、スロープ状に曲折されていることを特徴とする。
【００２５】
この構成によれば、浴室出入り口の段差をなくすことができる。これにより、足に障害を持つ使用者が車いすでスムーズに浴室に侵入・退出することが可能となる。
【００２６】
本発明に係る浴室構造の第３の構成は、前記第１又は２の構成に於いて、前記洗い場の床面と前記入浴補助具との間に、高さ調節自在な調高フレームを備えたことを特徴とする。
【００２７】
この構成によれば、簀子床面の高さの調節は、調高フレームによって行うことができる。したがって、簀子の高さ（簀子板の板厚及び横桟の高さ）が一定のものを製造して提供し、それぞれの浴室・浴槽に合わせて調高フレームによって高さ調節を行うようにすれば、入浴補助具及び調高フレームは一定の規格のものを製造して提供すればよいこととなる。従って、製造コストを下げることができる。
【００２８】
本発明に係る浴室構造の第４の構成は、前記第１乃至３の何れか一の構成に於いて、前記洗い場の床面には排水口が設けられており、
前記簀子は、前記排水口の上部に、開閉自在な開閉蓋を備えていることを特徴とする。
【００２９】
この構成によれば、頻繁に行う必要性のある排水口の掃除は、開閉蓋を開扉して行うことができる。従って、掃除作業が容易となる。
【発明の効果】
【００３０】
以上のように、本発明によれば、入浴補助座具を簀子床面に固着し、簀子床面と吸着部材の双方で入浴補助座具を浴槽角部に固定するようにしたことで、入浴補助座具と浴槽の固定を確実にすることができ、また安価な吸着部材を用いて入浴補助具及び浴室構造を安全に構成することが可能となる。
【００３１】
また、入浴補助座具の天板を浴槽の槽縁の上面と面一にするための高さ調節は、入浴補助座具の脚部と簀子床面の高さの双方を用いて行うことが可能であるため、入浴補助座具の脚部の高さを、使用者が入浴する際に、槽縁上で足を踰越させるときに足を持ち上げる幅があまり大きくなりすぎない程度に、適度に調節することで、足を踰越させる際に使用者の体勢が不安定となりやすいという問題を解決することができる。
【図面の簡単な説明】
【００３２】
【図１】本発明の実施例１に係る入浴補助具の（ａ）左前方の斜め上方から見た斜視図，（ｂ）右前方の斜め上方から見た斜視図である。
【図２】図１の入浴補助具の（ａ）右後方の斜め上方から見た斜視図，（ｂ）左後方の斜め上方から見た斜視図である。
【図３】図１の入浴補助具の左後方の斜め下方から見た斜視図である。
【図４】図１の入浴補助具の（ａ）全体平面図，（ｂ）排水口上部開閉蓋付近の拡大平面図，（ｃ）固定部と第１の回動部の間のヒンジ付近の拡大平面図，（ｄ）第１の回動部と第３の回動部の間のヒンジ及び固定部と第２の回動部との間のヒンジ付近の拡大平面図である。
【図５】図１の入浴補助具の底面図である。
【図６】図１の入浴補助具の（ａ）正面図，（ｂ）背面図である。
【図７】図１の入浴補助具の（ａ）右側面図，（ｂ）左側面図である。
【図８】本発明の実施例１に係る浴室構造の斜視図である。
【図９】図８の浴室構造において、入浴補助具を取り除いた状態を示す斜視図である。
【図１０】図８の浴室構造において、第１及び第３の回動部及び排水口上部開閉蓋を開扉した状態を示す斜視図である。
【図１１】図８の浴室構造において、第２及び第３の回動部を開扉した状態を示す斜視図である。
【図１２】浴室の出入り口側の簀子床面５に傾斜をつけて、框との間の段差をなくした状態を表す図である。
【図１３】特許文献１記載の入浴補助座具とその使用方法を表す図である。
【発明を実施するための形態】
【００３３】
以下、本発明を実施するための形態について、図面を参照しながら説明する。
【実施例１】
【００３４】
図１は、本発明の実施例１に係る入浴補助具の（ａ）左前方の斜め上方から見た斜視図，（ｂ）右前方の斜め上方から見た斜視図である。図２は、図１の入浴補助具の（ａ）右後方の斜め上方から見た斜視図，（ｂ）左後方の斜め上方から見た斜視図である。図３は、図１の入浴補助具の左後方の斜め下方から見た斜視図である。図４は、図１の入浴補助具の（ａ）全体平面図，（ｂ）排水口上部開閉蓋付近の拡大平面図，（ｃ）固定部と第１の回動部の間のヒンジ付近の拡大平面図，（ｄ）第１の回動部と第３の回動部の間のヒンジ及び固定部と第２の回動部との間のヒンジ付近の拡大平面図である。図５は、図１の入浴補助具の底面図である。図６は、図１の入浴補助具の（ａ）正面図，（ｂ）背面図である。図７は、図１の入浴補助具の（ａ）右側面図，（ｂ）左側面図である。
【００３５】
図１〜図７において、本実施例に係る入浴補助具１は、簀子２及び入浴補助座具３を備えている。簀子２は、短冊状の簀子板４が一定の間隙をあけて一平面上に複数並設されてなる簀子床面５と、各簀子板４の底面に簀子板４に直角に架け渡して設けられた複数の横桟６を備えている。各簀子板４は、横桟６によって連結されている。
【００３６】
簀子床面５は、平面視において、Ｌ字型平板状に形成されている。簀子床面５の縁辺のうち、凹折接続した２つの縁辺を凹折縁辺７，７、凹折縁辺７，７が直角接続する点を凹折点８、各凹折縁辺７，７に対向する凸折接続した２つの縁辺を凸折縁辺９，９とする。また、簀子２のＬ字状の中心線に対し凹折縁辺７，７の側を内側、凸折縁辺８，８の側を外側と呼ぶ（図４参照）。
【００３７】
図４に示すように、簀子２は、平面視において、前後向きの凹折縁辺７とそれに対向する凸折縁辺８との中間にあり且つ該両縁辺に平行な直線である第１分割線Ａ、及び左右向きの凹折縁辺７とそれに対向する凸折縁辺８との中間にあり且つ該両縁辺に平行な直線である第２分割線Ｂにより、４つの部分に分割されている。この４つの部分のうち、第１分割線Ａの内側で且つ第２分割線Ｂの内側の部分を「固定部」と呼ぶ。第１分割線Ａの外側で且つ第２分割線Ｂの内側の部分を「第１の回動部」と呼ぶ。第２分割線Ｂの外側で且つ第１分割線Ａの内側の部分を「第２の回動部」と呼ぶ。第１分割線Ａの外側で且つ第２分割線Ｂの外側の部分を「第３の回動部」と呼ぶ。
【００３８】
第１の回動部は、固定部に対して３つのヒンジ１０，１０，１０により上向きに回動自在に結合されている。尚、各ヒンジ１０，１０，１０は、第１分割線Ａを挟んで対向する２枚の簀子板４，４の間に設置された蝶番である。第２の回動部は、固定部に対してヒンジ構造１１ａにより上向き又は下向きに回動自在に結合されている。ヒンジ構造１１ａは、固定部の各簀子板４の外側縁辺と、第２の回動部の各簀子板４の内側縁辺とを、互いに噛み合うように凹凸加工し、噛合部分の中心に回転軸を通して形動自在に連結することにより形成されている。第３の回動部は、第１の回動部に対してヒンジ構造１１ｂにより上向き又は下向きに回動自在に結合されている。ヒンジ構造１１ｂは、ヒンジ構造１１ａと同様の構造である。
【００３９】
また、簀子床面５の固定部において、浴室に設置した時に洗い場の排水口の上方に位置する部分には、開閉自在な排水口上部開閉蓋１２が設けられている。排水口上部開閉蓋１２は、固定部に対してヒンジ１３，１３により上向きに回動自在に連結されている。また、排水口上部開閉蓋１２の上面には、把手１４が設けられている。
【００４０】
入浴補助座具３は、天板２０、脚部２１、及び複数の吸着部材２２を備えている。天板は、くの字凹状に切れ込んだ嵌合部２０ａを有する切込円板状に形成されている。嵌合部２０ａは、左右対称であり、天板２０の中心に最も近い凹折点において直角に凹折しており、浴槽の凸出した角部に嵌合させることができる。脚部２１は、上端が天板２０の底面に連結され、下端が簀子床面５に固着されており、天板２０を水平に支持している。脚部２１と簀子床面５とは、清掃時に入浴補助座具３を容易に取り外すことが可能なように、ほぞ継ぎにより固着されている。脚部２１は、２枚の縦長矩形平板を直角に十字に組合せて成り、その中心が天板２０の中心位置に合わせられ、中心から四方に広がる４つの板片のうちの２つが、嵌合部２０ａの２つの凹折辺に平行となる向きに配設されている。嵌合部２０ａの凹折辺に平行な２つの板片の内向側面２１ａ，２１ｂは、天板の嵌合部２０ａの内側方向に向面している（図２（ｂ））。内向側面２１ａ，２１ｂのそれぞれには、上下に並んで吸着部材２２，２２が配設され、この吸着部材２２，２２によって脚部２１が浴槽に吸着固定される。入浴補助座具３は、平面視したとき（図４）、天板２０の嵌合部２０ａの縁辺が簀子床面５の凹折縁辺７，７に合わせられた位置及び向きに、固着されている。
【００４１】
次に、本実施例の入浴補助具１を浴室に設置した浴室構造について説明する。
【００４２】
図８は、本発明の実施例１に係る浴室構造の斜視図である。図９は、図８の浴室構造において、入浴補助具を取り除いた状態を示す斜視図である。図８において、浴室の外形３０は点線で示している。
【００４３】
本実施例の浴室には、一つの角部３１ａが洗い場に向かって凸出するように設置された浴槽３１が設置されている。洗い場全体には、高さ調節自在な調高フレーム３２が敷設されており、調高フレーム３２の上面には、図１〜図７で説明した入浴補助具１が敷設されている。
【００４４】
入浴補助具１は、簀子床面５の凹折縁辺７，７及び入浴補助座具３の天板２０の嵌合部２０ａを、浴槽３１の凸出した角部３１ａに嵌合した状態で設置される。このとき、吸着部材２２により、入浴補助座具３は、浴槽３１の外側面に吸着固定される。このように、入浴補助座具１の脚部２１を、吸着部材２２で浴槽３１に吸着固定すると同時に、脚部２１を簀子２に固着することで、浴室内が濡れていたとしても、入浴補助座具１がズレ動く心配はなくなる。従って、使用時の安全性を高めることができる。
【００４５】
また、図８に示したように、簀子２は、洗い場の床面全体に、隙間が生じないように敷設されている。これにより、簀子２自体が洗い場床面を滑ってズレ動くことを完全に防止することができ、使用時の安全性が十分に保証される。
【００４６】
入浴補助座具３は、天板２０の上面が、浴槽３１の槽縁上面３１ｂと面一となるように高さ調整されている。この高さ調整は、調高フレーム３２によって行われる。すなわち、簀子２は高さ（簀子板４の板厚及び横桟５の高さ）が一定のものを製造して提供し、それぞれの浴室３０・浴槽３１に合わせて調高フレーム３２によって高さ調節を行う。これにより、入浴補助具１は一定の規格のものを製造して提供すればよいこととなり、量産効果によって製造コストを下げることができる。
【００４７】
調高フレーム３２は、洗い場の床面の外縁及び浴槽３１の外縁に沿った外枠３２ａと、外枠３２ａの内側に横架して設けられた桟枠３２ｂと、外枠３２ａの底面に複数設けられた高さ調整を行うためのアジャスタ３２ｃとを備えている。桟枠３２ｂは、簀子２のそれぞれの横桟６の下部に位置する部分に設けられている。アジャスタ３２ｃは、外枠３２ａの底面に螺着されており、ネジ調節によって洗い場床面と外枠３２ａとの間の高さを調高する。
【００４８】
また、洗い場の床面には排水口（図示せず）が設けられており、簀子２の排水口上部開閉蓋１２は、簀子２の排水口の上部に位置する部分に設けられている。
【００４９】
さらに、簀子２は、第２の回動部及び第３の回動部（図４参照）が、浴室の出入り口側３０ａに面する向きとなるように敷設されている。
【００５０】
次に、本実施例の入浴補助具１を用いた浴室構造について、その使用方法を説明する。
【００５１】
まず、入浴補助座具３の使用方法については、特許文献１の場合と同様であり、上述の「背景技術」の欄において図１３で説明した方法と同様である。但し、本実施例では、浴槽３１の高さに対して、調高フレーム３２及び簀子２によって床面が嵩上げされるため、図１３の場合に比べて、入浴補助座具３の天板２０の床面からの高さを低くすることができる。従って、使用者Ｐが入浴する際に、槽縁上面３１ｂ上で足を踰越させるときに足を持ち上げる幅が小さくて済む。足を持ち上げると、使用者の重心が背中の方へ移動するため、体勢が不安定となりやすく、その際に転倒事故を起こす危険性が最も大きくなる。しかし、本実施例では床面を嵩上げし、足を持ち上げる幅を極力小さくしたため、このような転倒事故の危険性を従来に比べ小さくすることが可能となる。
【００５２】
次に、浴室内の清掃の際の使用方法を説明する。図１０は、図８の浴室構造において、第１及び第３の回動部及び排水口上部開閉蓋を開扉した状態を示す斜視図である。図１１は、図８の浴室構造において、第２及び第３の回動部を開扉した状態を示す斜視図である。
【００５３】
本発明では、簀子２を設けたため、清掃の際には簀子の下部の洗い場の床面を清掃する必要がある。そこで、本実施例では、簀子２を複数の部分に分割して、各部分をヒンジで結合し、浴槽３１に面する部分（固定部）以外の部分（回動部）を、図１０，図１１に示した様に開扉可能とした。これにより、清掃の際に簀子２を浴室から運び出すことなく、洗い場の床面を清掃することができる。
【００５４】
また、特に洗い場の床面の排水口付近は、汚れが溜まりやすく頻繁に清掃を行う必要がある。そこで、本実施例では、排水口上部の簀子床面５に排水口上部開閉蓋１２を設けて、図１０に示した様に開扉自在とした。これにより、排水口付近の洗い場の床面を容易に清掃することができる。
【００５５】
最後に、浴室３０の出入り口付近の段差解消について説明する。図１２は、浴室の出入り口側の簀子床面５に傾斜をつけて、框との間の段差をなくした状態を表す図である。図１２において、浴室の出入り口側３０ａには、框３０ｂがあり、洗い場床面３０ｃとの間に段差がある。また、洗い場床面３０ｃ上に入浴補助具１が敷設されているが、簀子床面５の上面と框３０ｂの上面との間にも段差が生じる。そこで、簀子２の第２及び第３の回動部（図４参照）を上向きに曲折させてスロープ状とし、框３０ｂ側の横桟６と調高フレーム３２との間に噛ませ部材３３を噛ませる。これにより、框３０ｂと簀子２がスロープで滑らかに接続されて段差が無くなり、足に障害を持つ使用者が車いすでスムーズに浴室に侵入・退出することが可能となる。
【００５６】
尚、図１２では、框３０ｂの高さが簀子床面５よりも高い場合の例を示したが、框３０ｂの高さが簀子床面５よりも低い場合には、調高フレーム３２と浴室の出入り口側３０ａの框３０ｂとの間に隙間を作り、洗い場床面３０ｃと框３０ｂ側の横桟６との間に、適度な高さの噛ませ部材３３を噛ませ、簀子２の第２及び第３の回動部（図４参照）を下向きに曲折させてスロープ状として段差を解消するようにすればよい。
【符号の説明】
【００５７】
１  入浴補助具
２  簀子
３  入浴補助座具
４  簀子板
５  簀子床面
６  横桟
７  凹折縁辺
８  凹折点
９  凸折縁辺
１０  ヒンジ
１１ａ，１１ｂ  ヒンジ構造
１２  排水口上部開閉蓋
１３  ヒンジ
１４  把手
２０  天板
２０ａ  嵌合部
２１  脚部
２１ａ，２１ｂ  内向側面
２２  吸着部材
３０  浴室の外形
３０ａ  浴室の出入り口側
３０ｂ  框
３０ｃ  洗い場床面
３１  浴槽
３１ａ  凸出した角部
３１ｂ  槽縁上面
３２  調高フレーム
３２ａ  外枠
３２ｂ  桟枠
３２ｃ  アジャスタ
３３  噛ませ部材
【図１３】
0005841195.tif 000002
【図１】
0005841195.tif 000003
【図２】
0005841195.tif 000004
【図３】
0005841195.tif 000005
【図４】
0005841195.tif 000006
【図５】
0005841195.tif 000007
【図６】
0005841195.tif 000008
【図７】
0005841195.tif 000009
【図８】
0005841195.tif 000010
【図９】
0005841195.tif 000011
【図１０】
0005841195.tif 000012
【図１１】
0005841195.tif 000013
【図１２】
0005841195.tif 000014